(57)【要約】      （修正有）【課題】記録性がよく、他人に見せたりするのに適しており、また、満足性が高く、旅行等に出かける際にも忘れにくい御朱印帳を提供する。【解決手段】本考案の御朱印帳は、御朱印に用いられる複数の台紙１０Ａ、１０Ｂと、この台紙１０Ａと台紙１０Ｂの間に、透明ファイル２０Ａが綴じられている構成となっている。御朱印帳によれば、透明ファイル２０Ａ内に、自分で撮った写真、メモ等の記録物を入れておくことができるので記録性がよく、また他人にとっても御朱印以外の情報も知ることができるため、わかりやすいものとなっている。【選択図】図２
0003204545.tif 000002
【実用新案登録請求の範囲】
【請求項１】
表側と裏側の表紙と、表紙内に綴じられ御朱印に用いられる複数の台紙と、からなる御朱印帳であって、
前記台紙と前記台紙の間に、透明ファイルが綴じられていることを特徴とする御朱印帳。
【請求項２】
前記透明ファイルの一方の面と対向する側の前記台紙の対向面は、前記御朱印を行ってもらうための面となっており、
前記透明ファイルの他方の面と対向する側の前記台紙の対向面は、前記御朱印に関連する情報が印刷された面となっていることを特徴とする請求項１に記載の御朱印帳。
【考案の詳細な説明】
【技術分野】
【０００１】
本考案は、神社や寺院において御朱印を記すための御朱印帳に関する。
【背景技術】
【０００２】
神社や寺院において、参拝者に参拝の印として御朱印とよばれる印が押印される。また、御朱印は、単に印だけでなく印とともにその寺社の名称や参拝日なども記されることもあり、これらを含めて御朱印と呼ばれて古くから知られている。そして、この御朱印を記す御朱印帳と呼ばれる専用の帳面が知られている。
【０００３】
最近ではこの御朱印の収集がブームになっていることもあり、寺社、文房具店、ネットなどで様々な御朱印帳が販売されている。これらの御朱印帳は、表紙に様々なデザインが施されているが、表紙を捲ったその中は、基本的には、御朱印を行ってもらうための白紙の台紙が綴られていたり、御朱印を行ってもらうためのスペースとともに例えば寺社についての説明が印刷されている紙が綴られていたり、という構成になっている。
【０００４】
また、特許文献１に記載されている御朱印帳が知られている。特許文献１の御朱印帳は、別の紙に記載された御朱印を、剥離自在に貼着された透明シートと台紙の間に挟む構成となっている。
【先行技術文献】
【特許文献】
【０００５】
【特許文献１】実用新案登録第３１９９２７８号公報
【考案の概要】
【考案が解決しようとする課題】
【０００６】
現在、一般に販売されている御朱印帳では、後で御朱印帳を見直した場合に、御朱印だけ或は印刷済みの説明などしかないため、それ以上のことを思い出そうとすると自分自身の記憶に頼らざるを得ない。しかしながら、御朱印収集を趣味としているような人であれば、御朱印の数も多くなってくるので、一つ一つの記憶が曖昧になってくるものである。つまり、御朱印の数、御朱印帳の数が増えた場合に、販売されている御朱印帳は、記録性がよいものとなっていない。
【０００７】
また、一般に販売されている御朱印帳は、本人であればその御朱印や印刷済みの説明を見ただけで、例えばその寺社の形などより具体的なことがわかるかもしれないが、他人であれば御朱印や印刷済みの説明を見ただけではそれ以上の具体的なことはなかなかわからないものである。つまり、販売されている御朱印帳は、他人に見せたりするようなことにはあまり適したものとなっていない。
【０００８】
また、特許文献１に記載されている御朱印帳は、帳面と御朱印とは別々であり御朱印帳自体に御朱印を授与されるものではないことから、コレクターにとっては御朱印帳を持つ満足感に乏しいものである。また、特許文献１の御朱印帳は、御朱印帳自体に御朱印を授与されるわけではないので、旅行等に出かける際に、持ち出すことを忘れてしまうことも多くなる。
【０００９】
そこで、本考案は、上記課題を解決するためになされたものであり、記録性がよく、他人に見せたりするのに適しており、また、満足性が高く、旅行等に出かける際にも忘れにくい御朱印帳を提供することを目的とする。
【課題を解決するための手段】
【００１０】
上記目的を達成するため、本考案の御朱印帳は、表側と裏側の表紙と、表紙内に綴じられ御朱印に用いられる複数の台紙と、からなる御朱印帳であって、前記台紙と前記台紙の間に、透明ファイルが綴じられていることを特徴とする。
【００１１】
本考案の御朱印帳によれば、透明ファイル内に、自分で撮った写真、メモ等の記録物を入れておくことができるので、御朱印とともにその写真やメモなども一緒に見ることができる。このため、本御朱印帳は、御朱印や御朱印帳が増えたとしても、御朱印とセットで写真やメモをみることができるので、より鮮明に記憶がよみがえり、記録性のよいものとなっている。
【００１２】
また、本御朱印帳は、他人が見た際には、御朱印だけでなく、写真により例えば寺社の形や場所がわかったり、メモにより例えば寺社の場所や歴史がわかったりと、御朱印以外の情報も知ることができるため、他人にとってもわかりやすいものとなっている。なお、御朱印以外の情報もあることにより、本御朱印帳は本人が直接その場所へ行ったことの証明としてより一層説得力のあるものとなっている。
【００１３】
また、本御朱印帳は、台紙に直接御朱印を行ってもらうのであれば、コレクターにとっても満足感の得られるものとなっている。また、御朱印帳自体に御朱印を行ってもらう必要があることから、本御朱印帳は、旅行等に出かける際に、持ち出すこと忘れてしまうことも少なくなる。
【００１４】
本考案の御朱印帳は、前記透明ファイルの一方の面と対向する側の前記台紙の対向面は、前記御朱印を行ってもらうための面となっており、前記透明ファイルの他方の面と対向する側の前記台紙の対向面は、前記御朱印に関連する情報が印刷された面となっていることが好ましい。
【００１５】
本考案の御朱印帳によれば、透明ファイルに入れておいた自分自身の記録物による情報とともに、透明ファイルを挟んで一方には御朱印があり、他方には御朱印に関連する情報、例えば、御朱印場所の神社や寺院の歴史、場所等の情報があることから、より満足感の高い御朱印帳となる。
【００１６】
また、最初に印刷面に寺社の情報を印刷しておくことで、特定の寺社専用の御朱印帳として販売することができる。例えば、七福神巡りの御朱印帳として、七つの寺社をそれぞれ印刷面に印刷しておいて販売することもできる。
【図面の簡単な説明】
【００１７】
【図１】図１（Ａ）は実施形態１にかかる御朱印帳の平面図であり、図１（Ｂ）はこの御朱印帳の分解図である。
【図２】図２（Ａ）は図１（Ｂ）に示すセットＳの平面図であり、図２（Ｂ）は実施形態１にかかる透明ファイルの使用例であり、図２（Ｃ）はセットＳの使用例である。
【図３】実施形態２にかかる御朱印帳の分解図である。
【考案を実施するための形態】
【００１８】
以下、実施形態及び図面を参照にして本考案を実施するための形態を説明するが、以下に示す実施形態は、本考案をここに記載したものに限定することを意図するものではなく、本考案は実用新案登録請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００１９】
［実施形態１］
図１は本実施形態にかかる御朱印帳１を図示したものである。図１（Ａ）は御朱印帳１の平面図であり、図１（Ｂ）は御朱印帳１の分解図である。御朱印帳１は、表表紙２と裏表紙３との間に複数の台紙１０が綴じられるとともに、図１（Ｂ）に示すように台紙１０と台紙１０との間に透明ファイル２０が綴じられて構成されている。
【００２０】
より具体的には、例えば、図１（Ｂ）に示すように複数の台紙１０の中の台紙１０Ａと台紙１０Ｂを用いて説明すると、御朱印帳１は、表表紙２側の台紙１０Ａと裏表紙側の台紙１０Ｂとの間に透明ファイル２０Ａが綴じられている構成となっている。
【００２１】
なお、御朱印帳１は、表表紙２の右側で綴じている構成となっているが、表表紙２の左側や上側で綴じられている構成でも構わない。また、綴じられ方としては、紐や接着剤など何れも方法でも構わない。
【００２２】
また、図１においては、台紙１０と透明ファイル２０とを区別しやすくするため、台紙１０に斜め格子を付して図示している。また、図１においては表表紙２の表面にはとくに何も記していないが、実際には表表紙２の表面には図や文字による装飾が施されている。例えば、この御朱印帳１が七福神めぐりに用いられる御朱印帳であれば、その七福神めぐりの名称やキャラクター等が記されている。
【００２３】
つぎに、御朱印帳１を構成する台紙１０と透明ファイル２０の詳細について、図１とともに図２を用いて説明する。なお、図２（Ａ）は図１（Ｂ）に示す台紙１０Ａと台紙１０Ｂとその間に綴じられた透明ファイル２０ＡとからなるセットＳの平面図であり、図２（Ｂ）は透明ファイル２０Ａの使用例であり、図２（Ｃ）はセットＳの使用例である。
【００２４】
台紙１０は、参拝先の寺社にて御朱印を行っていただくための紙であり、基本的には無地の和紙や、御朱印スタンプを押す位置を示す模様が印刷された和紙からなるが、和紙以外に洋紙からなるものでも構わない。また、台紙１０は、表面に特殊な加工が施されている紙でも構わない。
【００２５】
そして、本実施形態においては、透明ファイル２０Ａの一方の面２１Ａと対向する台紙１０Ａの対向面１１Ａは、御朱印に関連する情報が既に印刷されている印刷情報面となっている。この御朱印に関連する情報とは、御朱印を行ってもらう寺社に関する具体的な説明や、寺社の場所の地図のような情報だけでなく、寺社周辺の観光情報等広く含まれ、御朱印と何かしらの関連がある情報であればよい。
【００２６】
また、本実施形態においては、透明ファイル２０Ａの他方の面２１Ｂと対向する台紙１０Ｂの対向面１２Ｂは、御朱印を行っていただくための御朱印面となっている。そして、当然ながら、この御朱印面には最初は御朱印が記されていない。
【００２７】
なお、御朱印では一般的に黒墨や朱墨などが用いられることから、台紙１０は、裏移りを防ぐため一枚の台紙１０を折り重ねた二重構造の構成でも構わない。また、寺社によっては台紙１０Ｂの御朱印面１２Ｂに直接御朱印を行うのではなく、既に別の台紙に御朱印を行ったものを渡すこともある。従ってこのような御朱印済みの台紙を収納できるよう、台紙１０が袋状になっている構成でも構わない。
【００２８】
透明ファイル２０Ａは、ポリプロピレンのような透明な樹脂からなる袋状のものである。このため、透明ファイル２０Ａには、図２（Ｂ）に図示するような写真Ｐや、メモ書き、寺社の入場券のようなものを収納しておくことができる。
【００２９】
従って、御朱印帳１は、寺社やその周辺で撮影した写真Ｐや、寺社に関する情報や感想を記したメモ書き、寺社で受け取った入場券やパンフレットのように、御朱印に関連する物を透明ファイル２０Ａに収納しておくことで、図２（Ｃ）に示すように、御朱印面となる対向面１２Ｂに行われている御朱印や印刷情報面となる対向面１１Ａに印刷されている情報以外にも、御朱印に関連する補完情報を残すことができるものとなっている。このため、この御朱印帳１は、後で見返した際にもより鮮明に記憶をよみがえらせることができるものとなっている。また、御朱印帳１は、他人に見せたり貸したりしても、透明ファイル２０Ａの補完情報によって、他人にとっても非常にわかりやすいものとなっている。また、御朱印帳１に補完情報が記録されることで、本人が実際にその場所を訪れているということの説得力がより一層増すことにもなる。
【００３０】
また、御朱印帳１は、台紙１０Ｂの対向面１２Ｂに御朱印を行ってもらう構成となっているので、御朱印が既に行われている別の台紙を頂く場合に比べ、直接御朱印を行ってもらうことによる喜びや満足度が高いものとなっている。また、御朱印帳１は、対向面１２Ｂに直接御朱印を行ってもらう必要があることから、旅行等に行く場合にも持ち忘れを防ぎやすいものとなっている。
【００３１】
なお、本実施形態において御朱印帳１は、台紙１０Ａの対向面１１Ａ側が印刷情報面となっており、台紙１０Ｂの対向面１２Ｂ側が御朱印面となっているが、対向面１１Ａ側が御朱印面、対向面１２Ｂ側が印刷情報面となっていても構わない。また、御朱印帳１は、対向面１１Ａを印刷情報面として用いているが、対向面１１Ａをメモ書のための面として用いる構成でも構わない。
【００３２】
また、透明ファイル２０Ａは、中に収納したものを取り出すことなく見ることができればよいので、透光性があれば着色された半透明のファイルでも構わない。また、一部に模様や絵がプリントしてあるファイルでも構わない。また、透明ファイル２０Ａは、内部がいくつかの領域に仕切られているものでも構わない。
【００３３】
また、御朱印帳１は、図１において表表紙２や裏表紙３と隣接する台紙１０についてまでは図示していないが、このよう位置においては台紙１０が二枚重なっていたり、台紙１０以外の紙、例えば写真や御朱印帳の製造元がプリントされた紙などが綴じられていたりしても構わない。
【００３４】
［実施形態２］
次に、実施形態２にかかる御朱印帳１´について説明する。図３は御朱印帳１´の分解図である。なお、実施形態１と同様の構成については同じ符号を付し、説明を省略する。
【００３５】
実施形態１の御朱印帳１は、台紙１０と台紙１０の間に透明ファイル２０が綴じられている構成において、図１（Ｂ）に示すように、台紙１０と透明ファイル２０とが交互に綴じられていた。一方、本実施形態の御朱印帳１´は、台紙１０と台紙１０の間に透明ファイル２０が綴じられている構成において、図３に示すように、二枚連続する台紙１０と台紙１０との間に透明ファイル２０が綴じられている。
【００３６】
実施形態１の御朱印帳１においては、透明ファイル２０Ａの他方の面２１Ｂと対向する台紙１０Ｂの対向面１２Ｂは、御朱印を行っていただくための御朱印面となっている。したがって、この台紙１０Ｂの対向面１２Ｂの裏面は、次に別の透明ファイル２０Ａの一方の面２１Ａと対向する対向面１１Ａとなり、この対向面１１Ａはつまり印刷情報面となる。つまり、実施形態１の御朱印帳１においては、御朱印が行われる面である対向面１２Ｂの裏面は、印刷情報面となる対向面１１Ａとなっている。
【００３７】
ところで、御朱印そのものがお札やお守りという考えもあることから、御朱印の台紙の裏面に何か別のものが記入、印刷されていることを避けたいと考える人もいる。このような場合、本実施形態の御朱印帳１´であれば、台紙１０が二枚重なって綴られているので、御朱印面として用いる台紙１０と印刷情報面となる台紙１０とがそれぞれ別々になる。したがって、御朱印帳１´は、このような人にとっても非常に使いやすいものとなる。
【００３８】
なお、御朱印帳１´は、図３において表表紙２や裏表紙３と隣接する台紙１０についてまでは図示していないが、このよう位置においては台紙１０が二枚重ねとなっている必要はない。
【００３９】
以上のように、本考案の御朱印帳によれば、透明ファイル内に、自分で撮った写真、メモ等の補完情報となる記録物を入れておくことができるので、記録性のよいものとなっている。また、御朱印帳は、他人が見た際には、御朱印だけでなく、補完情報もあるので、他人にとってもわかりやすいものとなっている。
【００４０】
なお、上記実施形態においては、台紙１０が一枚一枚別になっているものを示して説明したが、表表紙２と裏表紙３との間に蛇腹状につながった台紙を用いても本考案は適用可能である。つまり、折り曲げられている面を一枚の台紙としてとらえ、台紙と台紙の間である折り曲げ位置に透明ファイルを接着剤等で接続しておくことによっても、本考案の御朱印帳は構成される。
【符号の説明】
【００４１】
１、１´：御朱印帳
２：表表紙
３：裏表紙
１０、１０Ａ、１０Ｂ：台紙
１１Ａ、１２Ｂ：対向面
２０、２０Ａ：透明ファイル
２１Ａ：透明ファイルの一方の面
２１Ｂ：透明ファイルの他方の面
【図１】
0003204545.tif 000003
【図２】
0003204545.tif 000004
【図３】
0003204545.tif 000005